(57)【要約】【課題】  クレジットカードを用いずにオンラインショッピングを行うことが可能な決済支援システム、決済支援方法、販売者サーバおよび携帯電話端末を提供する。【解決手段】  販売者サーバ１が課金サーバ情報と識別情報および注文情報とをインターネット６ユーザ端末３に送信し、携帯電話端末２がユーザ端末３に送信された課金サーバ情報と識別情報および注文情報とを取り込み、課金サーバ情報によって特定される携帯電話料金課金サーバ４に識別情報および注文情報とを送信するので、携帯電話料金課金サーバ４は注文情報が示す商品の代金を携帯電話端末のユーザに課金しその代金を識別情報が示す販売者に提供する決済を実行することが可能となる。【選択図】      図１
2005107849.tif 000002
【特許請求の範囲】
【請求項１】
ユーザ端末と、該ユーザ端末と関連付けられた携帯電話端末と、前記ユーザ端末から通信回線を介して送信される注文情報を受け付ける販売者サーバと、前記ユーザ端末および販売者サーバと通信回線を介して接続されるとともに前記携帯電話端末と通信可能に構成され、前記携帯電話端末への課金処理を行う携帯電話料金課金サーバとを含む決済支援システムであって、
前記販売者サーバは、前記ユーザ端末から注文情報を受け付けた際に、自己を識別するための識別情報および前記注文情報とを前記通信回線を介して前記ユーザ端末に送信し、
前記携帯電話端末は、前記ユーザ端末から前記識別情報および前記注文情報を受け付けた際に、前記携帯電話料金課金サーバに対して前記識別情報および前記注文情報とを送信する課金情報送信部とを含み、
前記携帯電話料金課金サーバは、前記識別情報と前記注文情報とを前記携帯電話端末から受け付けた際に、前記注文情報が示す商品の代金を該携帯電話端末のユーザに課金するとともにその旨を前記識別情報に示される前記販売者サーバに送信することを特徴とする決済支援システム。
【請求項２】
ユーザ端末と、該ユーザ端末と関連付けられた携帯電話端末と、前記ユーザ端末から通信回線を介して送信される注文情報を受け付ける販売者サーバと、を含む決済支援システムであって、
前記販売者サーバは、前記ユーザ端末から注文情報を受け付けた際に、自己を識別するための識別情報および前記注文情報とを前記通信回線を介して前記ユーザ端末に送信し、
前記携帯電話端末は、前記ユーザ端末から前記識別情報および前記注文情報を受け付けた際に、自己に対する課金を管理する携帯電話料金課金サーバに対して前記識別情報および前記注文情報とを送信する課金情報送信部とを含むことを特徴とする決済支援システム。
【請求項３】
請求項１または２に記載の決済支援システムにおいて、
前記ユーザ端末は、前記識別情報および前記注文情報とを出力する出力部を含み、
前記携帯電話端末は、前記出力部が出力した前記識別情報および前記注文情報を取り込む情報取込み部を含み、前記課金情報送信部は、前記情報取込み部が前記ユーザ端末から前記識別情報および前記注文情報を取り込んだ際に、前記携帯電話料金課金サーバに対して前記識別情報および前記注文情報とを送信することを特徴とする決済支援システム。
【請求項４】
請求項３に記載の決済支援システムにおいて、
前記情報取込み部は、前記出力部が出力した前記識別情報および前記注文情報を撮像して取り込む撮像部であることを特徴とする決済支援システム。
【請求項５】
請求項１ないし４のいずれか１項に記載の決済支援システムにおいて、
前記販売者サーバは、前記ユーザ端末から注文情報を受け付けた際に、各々ＱＲコード化された前記識別情報および前記注文情報とを前記通信回線を介して前記ユーザ端末に送信し、
前記携帯電話端末は、前記各々ＱＲコード化された前記識別情報および前記注文情報とを受け付け、前記各々ＱＲコード化された識別情報および注文情報とのそれぞれを復号化することを特徴する決済支援システム。
【請求項６】
ユーザ端末と、該ユーザ端末と関連付けられたユーザ携帯電話端末と、前記ユーザ端末から通信回線を介して送信される注文情報を受け付ける販売者サーバと、前記ユーザ端末および販売者サーバと通信回線を介して接続されるとともに前記ユーザ携帯電話端末と通信可能に構成され、前記ユーザ携帯電話端末への課金処理を行う携帯電話料金課金サーバとを含む決済支援システムであって、
前記販売者サーバは、携帯電話端末ごとに各携帯電話端末の課金を管理する携帯電話料金課金サーバを認識し、前記ユーザ端末からの注文情報とともに前記ユーザ携帯電話端末の課金を管理する携帯電話料金課金サーバを示す情報を受け付けた際に、該ユーザ携帯電話端末の課金を管理する携帯電話料金課金サーバを特定する課金サーバ情報と自己を識別するための識別情報および前記注文情報とを前記通信回線を介して前記ユーザ端末に送信し、
前記携帯電話端末は、前記ユーザ端末から前記課金サーバ情報、前記識別情報および前記注文情報を受け付けた際に、前記課金サーバ情報が特定する携帯電話料金課金サーバに対して前記識別情報および前記注文情報とを送信する課金情報送信部とを含み、
前記携帯電話料金課金サーバは、前記識別情報と前記注文情報とを前記ユーザ携帯電話端末から受け付けた際に、前記注文情報が示す商品の代金を該ユーザ携帯電話端末のユーザに課金するとともにその旨を前記識別情報に示される前記販売者サーバに送信することを特徴とする決済支援システム。
【請求項７】
請求項６に記載の決済支援システムにおいて、
前記ユーザ端末は、前記課金サーバ情報、前記識別情報および前記注文情報とを出力する出力部を含み、
前記ユーザ携帯電話端末は、前記出力部が出力した前記課金サーバ情報、前記識別情報および前記注文情報を取り込む情報取込み部を含み、前記課金情報送信部は、前記情報取込み部が前記ユーザ端末から前記課金サーバ情報、前記識別情報および前記注文情報を取り込んだ際に、前記課金サーバ情報が特定する携帯電話料金課金サーバに対して前記識別情報および前記注文情報とを送信することを特徴とする決済支援システム。
【請求項８】
請求項７に記載の決済支援システムにおいて、
前記情報取込み部は、前記出力部が出力した前記課金サーバ情報、前記識別情報および前記注文情報を撮像して取り込む撮像部であることを特徴とする決済支援システム。
【請求項９】
請求項６ないし８のいずれか１項に記載の決済支援システムにおいて、
前記販売者サーバは、前記ユーザ端末から注文情報を受け付けた際に、各々ＱＲコード化された前記課金サーバ情報、前記識別情報および前記注文情報とを前記通信回線を介して前記ユーザ端末に送信し、
前記携帯電話端末は、前記各々ＱＲコード化された前記課金サーバ情報、前記識別情報および前記注文情報とを受け付け、前記各々ＱＲコード化された課金サーバ情報、識別情報および注文情報とのそれぞれを復号化することを特徴する決済支援システム。
【請求項１０】
ユーザ端末と、該ユーザ端末と関連付けられた携帯電話端末と、前記ユーザ端末から通信回線を介して送信される注文情報を受け付ける販売者サーバと、前記ユーザ端末および販売者サーバと通信回線を介して接続されるとともに前記携帯電話端末と通信可能に構成され、前記携帯電話端末への課金処理を行う携帯電話料金課金サーバとを含む決済支援システムが行う決済支援方法であって、
前記販売者サーバが前記ユーザ端末から注文情報を受け付けた際に自己を識別するための識別情報および前記注文情報とを前記通信回線を介して前記ユーザ端末に送信し、
前記携帯電話端末が前記ユーザ端末から前記識別情報および前記注文情報を受け付けた際に前記携帯電話料金課金サーバに対して前記識別情報および前記注文情報とを送信し、
前記携帯電話料金課金サーバが前記識別情報と前記注文情報とを前記携帯電話端末から受け付けた際に前記注文情報が示す商品の代金を該携帯電話端末のユーザに課金するとともにその旨を前記識別情報に示される前記販売者サーバに送信することを特徴とする決済支援方法。
【請求項１１】
ユーザ端末と、該ユーザ端末と関連付けられた携帯電話端末と、前記ユーザ端末から通信回線を介して送信される注文情報を受け付ける販売者サーバと、を含む決済支援システムが行う決済支援方法であって、
前記販売者サーバが前記ユーザ端末から注文情報を受け付けた際に自己を識別するための識別情報および前記注文情報とを前記通信回線を介して前記ユーザ端末に送信し、
前記携帯電話端末が前記ユーザ端末から前記識別情報および前記注文情報を受け付けた際に自己に対する課金を管理する携帯電話料金課金サーバに対して前記識別情報および前記注文情報とを送信することを特徴とする決済支援方法。
【請求項１２】
請求項１０または１１に記載の決済支援方法において、
前記ユーザ端末が前記識別情報および前記注文情報とを出力し、
前記携帯電話端末が前記ユーザ端末が出力した前記識別情報および前記注文情報を取り込み、
前記携帯電話端末が前記ユーザ端末から前記識別情報および前記注文情報を取り込んだ際に前記携帯電話料金課金サーバに対して前記識別情報および前記注文情報とを送信することを特徴とする決済支援方法。
【請求項１３】
請求項１２に記載の決済支援方法において、
前記携帯電話端末が前ユーザ端末が出力した前記識別情報および前記注文情報を撮像部で撮像して取り込むことを特徴とする決済支援方法。
【請求項１４】
請求項１０ないし１３のいずれか１項に記載の決済支援方法において、
前記販売者サーバが前記ユーザ端末から注文情報を受け付けた際に各々ＱＲコード化された前記識別情報および前記注文情報とを前記通信回線を介して前記ユーザ端末に送信し、
前記携帯電話端末が前記各々ＱＲコード化された前記識別情報および前記注文情報とを受け付け、前記各々ＱＲコード化された識別情報および注文情報とのそれぞれを復号化することを特徴する決済支援方法。
【請求項１５】
ユーザ端末と、該ユーザ端末と関連付けられたユーザ携帯電話端末と、前記ユーザ端末から通信回線を介して送信される注文情報を受け付ける販売者サーバと、前記ユーザ端末および販売者サーバと通信回線を介して接続されるとともに前記ユーザ携帯電話端末と通信可能に構成され、前記ユーザ携帯電話端末への課金処理を行う携帯電話料金課金サーバとを含む決済支援システムが行う決済支援方法であって、
前記販売者サーバは、携帯電話端末ごとに各携帯電話端末の課金を管理する携帯電話料金課金サーバを認識し、
前記販売者サーバが前記ユーザ端末からの注文情報とともに前記ユーザ携帯電話端末の課金を管理する携帯電話料金課金サーバを示す情報を受け付けた際に、該ユーザ携帯電話端末の課金を管理する携帯電話料金課金サーバを特定する課金サーバ情報と自己を識別するための識別情報および前記注文情報とを前記通信回線を介して前記ユーザ端末に送信し、
前記携帯電話端末が前記ユーザ端末から前記課金サーバ情報、前記識別情報および前記注文情報を受け付けた際に、前記課金サーバ情報が特定する携帯電話料金課金サーバに対して前記識別情報および前記注文情報とを送信し、
前記携帯電話料金課金サーバが前記識別情報と前記注文情報とを前記ユーザ携帯電話端末から受け付けた際に、前記注文情報が示す商品の代金を該ユーザ携帯電話端末のユーザに課金するとともにその旨を前記識別情報に示される前記販売者サーバに送信することを特徴とする決済支援方法。
【請求項１６】
請求項１５に記載の決済支援方法において、
前記ユーザ端末が前記課金サーバ情報、前記識別情報および前記注文情報とを出力し、
前記ユーザ携帯電話端末が前記ユーザ端末が出力した前記課金サーバ情報、前記識別情報および前記注文情報を取り込み、
前記ユーザ携帯電話端末が前記ユーザ端末から前記課金サーバ情報、前記識別情報および前記注文情報を取り込んだ際に、前記課金サーバ情報が特定する携帯電話料金課金サーバに対して前記識別情報および前記注文情報とを送信することを特徴とする決済支援方法。
【請求項１７】
請求項１６に記載の決済支援方法において、
前記ユーザ携帯電話端末が前ユーザ端末が出力した前記課金サーバ情報、前記識別情報および前記注文情報を撮像部で撮像して取り込むことを特徴とする決済支援方法。
【請求項１８】
請求項１５ないし１７のいずれか１項に記載の決済支援方法において、
前記販売者サーバが前記ユーザ端末から注文情報を受け付けた際に各々ＱＲコード化された前記課金サーバ情報、前記識別情報および前記注文情報とを前記通信回線を介して前記ユーザ端末に送信し、
前記ユーザ携帯電話端末が前記各々ＱＲコード化された前記課金サーバ情報、前記識別情報および前記注文情報とを受け付け、前記各々ＱＲコード化された課金サーバ情報、識別情報および注文情報とのそれぞれを復号化することを特徴する決済支援方法。
【発明の詳細な説明】
【技術分野】
【０００１】
本発明は、決済支援システムおよび決済支援方法に関し、特には、オンラインショッピングの決済を携帯電話端末の使用料を課金する携帯電話料金課金サーバを利用して行う決済支援システムおよび決済支援方法に関する。
【背景技術】
【０００２】
近年、インターネットを利用したオンラインショッピングが行えるようになっている。
【０００３】
一般的なオンラインショッピングは、ユーザが、ウェブショップを開設している販売業者のコンピュータに対して、ユーザ端末からインターネットを介して商品の注文を行い、販売業者が注文された商品を買い手に提供する手配を行うというものである。
【０００４】
オンラインショッピングでは、クレジットカードを利用した決済方法が利用されている場合が多い。
【０００５】
クレジットカードを利用した決済方法は、ユーザが、商品の購入時にクレジットカード番号をインターネットを介して販売業者のコンピュータに通知し、販売業者が、通知されたクレジットカード番号に基づいてクレジットカード会社に料金を請求し、クレジットカード会社がユーザの銀行口座から注文された商品の価格を引き落とし、引き落とした金額を販売業者に提供する方式で行われている（特許文献１（特開２００２−３５８２７８号公報）参照）。
【特許文献１】特開２００２−３５８２７８号公報
【発明の開示】
【発明が解決しようとする課題】
【０００６】
しかしながら、クレジットカードによる決済方法は、クレジットカードの情報がインターネットという公衆ネットワークを流れるため、クレジットカードの情報が第３者に取得されてしまう危険性がある。また、クレジットカードを保有していなければ利用できないという制約もある。
【０００７】
このため、オンラインショッピングにおいて、クレジットカードに代わる新たな決済方法の実現が望まれている。
【０００８】
本発明の目的は、クレジットカードを用いずにオンラインショッピングを行うことが可能な決済支援システムおよび決済支援方法を提供することである。
【課題を解決するための手段】
【０００９】
上記の目的を達成するため、本発明の決済支援システムは、ユーザ端末と、該ユーザ端末と関連付けられた携帯電話端末と、前記ユーザ端末から通信回線を介して送信される注文情報を受け付ける販売者サーバと、前記ユーザ端末および販売者サーバと通信回線を介して接続されるとともに前記携帯電話端末と通信可能に構成され、前記携帯電話端末への課金処理を行う携帯電話料金課金サーバとを含む決済支援システムであって、前記販売者サーバは、前記ユーザ端末から注文情報を受け付けた際に、自己を識別するための識別情報および前記注文情報とを前記通信回線を介して前記ユーザ端末に送信し、前記携帯電話端末は、前記ユーザ端末から前記識別情報および前記注文情報を受け付けた際に、前記携帯電話料金課金サーバに対して前記識別情報および前記注文情報とを送信する課金情報送信部とを含み、前記携帯電話料金課金サーバは、前記識別情報と前記注文情報とを前記携帯電話端末から受け付けた際に、前記注文情報が示す商品の代金を該携帯電話端末のユーザに課金するとともにその旨を前記識別情報に示される前記販売者サーバに送信することを特徴とする。
【００１０】
また、本発明の決済支援方法は、ユーザ端末と、該ユーザ端末と関連付けられた携帯電話端末と、前記ユーザ端末から通信回線を介して送信される注文情報を受け付ける販売者サーバと、前記ユーザ端末および販売者サーバと通信回線を介して接続されるとともに前記携帯電話端末と通信可能に構成され、前記携帯電話端末への課金処理を行う携帯電話料金課金サーバとを含む決済支援システムが行う決済支援方法であって、前記販売者サーバが前記ユーザ端末から注文情報を受け付けた際に自己を識別するための識別情報および前記注文情報とを前記通信回線を介して前記ユーザ端末に送信し、前記携帯電話端末が前記ユーザ端末から前記識別情報および前記注文情報を受け付けた際に前記携帯電話料金課金サーバに対して前記識別情報および前記注文情報とを送信し、前記携帯電話料金課金サーバが前記識別情報と前記注文情報とを前記携帯電話端末から受け付けた際に前記注文情報が示す商品の代金を該携帯電話端末のユーザに課金するとともにその旨を前記識別情報に示される前記販売者サーバに送信することを特徴とする。
【００１１】
本発明の決済支援システムおよび本発明の決済支援方法によれば、オンラインショッピングを行う際にユーザ端末および携帯電話端末からクレジットカード情報を入力する必要がなくなるので、オンラインショッピングを行う際にクレジットカードの情報を不要にできる。
【００１２】
また、ユーザ端末から販売者サーバに商品を注文する際にユーザの情報を不要にできるので、オンラインショッピングを行う際に商品を注文するユーザの情報を販売者サーバに通知する場合に比べて、商品を注文するユーザの匿名性が高くなり、商品を注文するユーザのプライバシーを保護する効果が向上する。
【００１３】
また、注文情報が示す商品の代金を携帯電話端末のユーザに課金することが可能となる。
【００１４】
また、本発明の決済支援システムは、ユーザ端末と、該ユーザ端末と関連付けられた携帯電話端末と、前記ユーザ端末から通信回線を介して送信される注文情報を受け付ける販売者サーバと、を含む決済支援システムであって、前記販売者サーバは、前記ユーザ端末から注文情報を受け付けた際に、自己を識別するための識別情報および前記注文情報とを前記通信回線を介して前記ユーザ端末に送信し、前記携帯電話端末は、前記ユーザ端末から前記識別情報および前記注文情報を受け付けた際に、自己に対する課金を管理する携帯電話料金課金サーバに対して前記識別情報および前記注文情報とを送信する課金情報送信部とを含むことを特徴とする。
【００１５】
また、本発明の決済支援方法は、ユーザ端末と、該ユーザ端末と関連付けられた携帯電話端末と、前記ユーザ端末から通信回線を介して送信される注文情報を受け付ける販売者サーバと、を含む決済支援システムが行う決済支援方法であって、前記販売者サーバが前記ユーザ端末から注文情報を受け付けた際に自己を識別するための識別情報および前記注文情報とを前記通信回線を介して前記ユーザ端末に送信し、前記携帯電話端末が前記ユーザ端末から前記識別情報および前記注文情報を受け付けた際に自己に対する課金を管理する携帯電話料金課金サーバに対して前記識別情報および前記注文情報とを送信することを特徴とする。
【００１６】
本発明の決済支援システムおよび本発明の決済支援方法によれば、前記識別情報と前記注文情報とを前記携帯電話端末から受け付けた際に前記注文情報が示す商品の代金を該携帯電話端末のユーザに課金するとともにその旨を前記識別情報に示される前記販売者サーバに送信する携帯電話料金課金サーバによって商品の決済を行うことが可能になる。この場合も、オンラインショッピングを行う際にユーザ端末および携帯電話端末からクレジットカード情報を入力する必要がなくなるので、オンラインショッピングを行う際にクレジットカードの情報を不要にできる。
【００１７】
また、前記ユーザ端末は、前記識別情報および前記注文情報とを出力し、前記携帯電話端末は、前記ユーザ端末が出力した前記識別情報および前記注文情報を取り込む情報取込み部を含み、前記携帯電話端末が前記ユーザ端末から前記識別情報および前記注文情報を取り込んだ際に、前記携帯電話料金課金サーバに対して前記識別情報および前記注文情報とを送信するようにしてもよい。
【００１８】
また、前記ユーザ端末は、前記ユーザ端末が出力した前記識別情報および前記注文情報を撮像部で撮像して取り込むようにしてもよい。
【００１９】
また、前記販売者サーバは、前記ユーザ端末から注文情報を受け付けた際に、各々ＱＲコード化された前記識別情報および前記注文情報とを前記通信回線を介して前記ユーザ端末に送信し、前記携帯電話端末は、前記各々ＱＲコード化された前記識別情報および前記注文情報とを受け付け、前記各々ＱＲコード化された識別情報および注文情報とのそれぞれを復号化するようにしてもよい。
【００２０】
また、本発明の決済支援システムは、ユーザ端末と、該ユーザ端末と関連付けられたユーザ携帯電話端末と、前記ユーザ端末から通信回線を介して送信される注文情報を受け付ける販売者サーバと、前記ユーザ端末および販売者サーバと通信回線を介して接続されるとともに前記ユーザ携帯電話端末と通信可能に構成され、前記ユーザ携帯電話端末への課金処理を行う携帯電話料金課金サーバとを含む決済支援システムであって、前記販売者サーバは、携帯電話端末ごとに各携帯電話端末の課金を管理する携帯電話料金課金サーバを認識し、前記ユーザ端末からの注文情報とともに前記ユーザ携帯電話端末の課金を管理する携帯電話料金課金サーバを示す情報を受け付けた際に、該ユーザ携帯電話端末の課金を管理する携帯電話料金課金サーバを特定する課金サーバ情報と自己を識別するための識別情報および前記注文情報とを前記通信回線を介して前記ユーザ端末に送信し、前記携帯電話端末は、前記ユーザ端末から前記課金サーバ情報、前記識別情報および前記注文情報を受け付けた際に、前記課金サーバ情報が特定する携帯電話料金課金サーバに対して前記識別情報および前記注文情報とを送信する課金情報送信部とを含み、前記携帯電話料金課金サーバは、前記識別情報と前記注文情報とを前記ユーザ携帯電話端末から受け付けた際に、前記注文情報が示す商品の代金を該ユーザ携帯電話端末のユーザに課金するとともにその旨を前記識別情報に示される前記販売者サーバに送信することを特徴とする。
【００２１】
また、本発明の決済支援方法は、ユーザ端末と、該ユーザ端末と関連付けられたユーザ携帯電話端末と、前記ユーザ端末から通信回線を介して送信される注文情報を受け付ける販売者サーバと、前記ユーザ端末および販売者サーバと通信回線を介して接続されるとともに前記ユーザ携帯電話端末と通信可能に構成され、前記ユーザ携帯電話端末への課金処理を行う携帯電話料金課金サーバとを含む決済支援システムが行う決済支援方法であって、前記販売者サーバは、携帯電話端末ごとに各携帯電話端末の課金を管理する携帯電話料金課金サーバを認識し、前記販売者サーバが前記ユーザ端末からの注文情報とともに前記ユーザ携帯電話端末の課金を管理する携帯電話料金課金サーバを示す情報を受け付けた際に、該ユーザ携帯電話端末の課金を管理する携帯電話料金課金サーバを特定する課金サーバ情報と自己を識別するための識別情報および前記注文情報とを前記通信回線を介して前記ユーザ端末に送信し、前記携帯電話端末が前記ユーザ端末から前記課金サーバ情報、前記識別情報および前記注文情報を受け付けた際に、前記課金サーバ情報が特定する携帯電話料金課金サーバに対して前記識別情報および前記注文情報とを送信し、前記携帯電話料金課金サーバが前記識別情報と前記注文情報とを前記ユーザ携帯電話端末から受け付けた際に、前記注文情報が示す商品の代金を該ユーザ携帯電話端末のユーザに課金するとともにその旨を前記識別情報に示される前記販売者サーバに送信することを特徴とする。
【００２２】
本発明の決済支援システムおよび本発明の決済支援方法によれば、オンラインショッピングを行う際にユーザ端末および携帯電話端末からクレジットカード情報を入力する必要がなくなるので、オンラインショッピングを行う際にクレジットカードの情報を不要にできる。
【００２３】
また、ユーザ端末から販売者サーバに商品を注文する際にユーザの情報を不要にできるので、オンラインショッピングを行う際に商品を注文するユーザの情報を販売者サーバに通知する場合に比べて、商品を注文するユーザの匿名性が高くなり、商品を注文するユーザのプライバシーを保護する効果が向上する。
【００２４】
また、注文情報が示す商品の代金を携帯電話端末のユーザに課金することが可能となる。
【００２５】
また、前記ユーザ端末は、前記課金サーバ情報、前記識別情報および前記注文情報とを出力し、前記ユーザ携帯電話端末は、前記ユーザ端末が出力した前記課金サーバ情報、前記識別情報および前記注文情報を取り込み、前記ユーザ携帯電話端末は、前記情報取込み部が前記ユーザ端末から前記課金サーバ情報、前記識別情報および前記注文情報を取り込んだ際に、前記課金サーバ情報が特定する携帯電話料金課金サーバに対して前記識別情報および前記注文情報とを送信することが望ましい。
【００２６】
また、前記ユーザ携帯電話端末は、前記ユーザ端末が出力した前記課金サーバ情報、前記識別情報および前記注文情報を撮像部で撮像して取り込むようにしてもよい。
【００２７】
また、前記販売者サーバは、前記ユーザ端末から注文情報を受け付けた際に、各々ＱＲコード化された前記課金サーバ情報、前記識別情報および前記注文情報とを前記通信回線を介して前記ユーザ端末に送信し、前記ユーザ携帯電話端末は、前記各々ＱＲコード化された前記課金サーバ情報、前記識別情報および前記注文情報とを受け付け、前記各々ＱＲコード化された課金サーバ情報、識別情報および注文情報とのそれぞれを復号化することが望ましい。
【発明の効果】
【００２８】
本発明の決済支援システムおよび決済支援方法によれば、オンラインショッピングを行う際にユーザ端末および携帯電話端末からクレジットカード情報を入力する必要がなくなるので、オンラインショッピングを行う際にクレジットカードの情報を不要にできる。
【００２９】
また、ユーザ端末から販売者サーバに商品を注文する際にユーザの情報を不要にできるので、オンラインショッピングを行う際に商品を注文するユーザの情報を販売者サーバに通知する場合に比べて、商品を注文するユーザの匿名性が高くなり、商品を注文するユーザのプライバシーを保護する効果が向上する。
【００３０】
また、注文情報が示す商品の代金を携帯電話端末のユーザに課金することが可能となる。
【発明を実施するための最良の形態】
【００３１】
以下、本発明の一実施例を図面に基づいて説明する。
【００３２】
図１は、本発明の一実施例の決済支援システムを示したブロック図である。
【００３３】
図１において、決済支援システムは、販売者サーバ１と、携帯電話端末２と、パソコン等のユーザ端末３と、携帯電話料金課金サーバ４と、ＱＲコード（２次元コード）変換サーバ５とを含む。
【００３４】
販売者サーバ１は、通信回線としてのインターネット６を介して、ユーザ端末３および携帯電話料金課金サーバ４およびＱＲコード変換サーバ５と接続することが可能である。
【００３５】
携帯電話端末２は、無線基地局７および通信ネットワーク８とを介して、携帯電話料金課金サーバ４と接続することが可能である。
【００３６】
販売者サーバ１は、インターネット６を介して接続可能なＷＥＢＳＨＯＰ（ウェブショップ）を開設するものであり、通信部１１と、メモリ１２と、制御部１３とを含む。
【００３７】
通信部１１は、インターネット６と接続し、インターネット６を介して種々の情報のやりとりを行う。
【００３８】
メモリ１２は、ショッピング画面格納部１２ａと、識別情報格納部１２ｂと、注文情報格納部１２ｃと、暗号情報格納部１２ｄと、決済情報格納部１２ｅと、動作プログラム格納部１２ｆとを含む。
【００３９】
ショッピング画面格納部１２ａは、販売者サーバ１が提供する商品（本実施例では、「商品」という文言は、物品およびデジタルコンテンツを含むものとする。）を示した商品画面を表示する画面情報を格納している。
【００４０】
ショッピング画面格納部１２ａに格納されている画面情報は、インターネット６を介して販売者サーバ１にアクセスしてきたユーザ端末３にインターネット６を介して送信される。
【００４１】
識別情報格納部１２ｂは、携帯電話料金課金サーバ４が販売者サーバ１を管理する販売者を識別するための識別情報が格納されている。なお、識別情報格納部１２ｂに格納されている識別情報は、携帯電話料金課金サーバ４または携帯電話料金課金サーバ４の運営者によって割り当てられた店舗コードである。
【００４２】
注文情報格納部１２ｃは、インターネット６を介してユーザ端末３から送信される注文情報を格納する。なお、本実施例では、注文情報格納部１２ｃは、注文情報に加えて、インターネット６を介してユーザ端末３から送信される配送先情報が格納される。
【００４３】
暗号情報格納部１２ｄは、ユーザ端末３に送信する決済情報を暗号化する際に用いる鍵（共通鍵）情報を格納する。なお、暗号情報格納部１２ｄに格納される鍵（共通鍵）情報は、ユーザ端末３のユーザによってユーザ端末３から入力され、インターネット６を介して販売者サーバ１に送信される。
【００４４】
課金サーバ情報格納部としての決済情報格納部１２ｅは、携帯電話料金課金サーバ４を特定する課金サーバ情報（具体的には、携帯電話料金課金サーバ４が提供する決済画面のＵＲＬ）と、識別情報と、注文情報とを格納する。なお、携帯電話料金課金サーバ４が提供する決済画面は、インターネット６を介してユーザ端末３から送信される注文情報が示す商品の決済を携帯電話料金課金サーバ４が実行する際に用いる決済画面である。
【００４５】
決済情報格納部１２ｅは、具体的には、ＱＲコード変換サーバ５から提供されるＱＲコード化された決済情報（課金サーバ情報と識別情報および注文情報とを含む。）を格納する。
【００４６】
動作プログラム格納部１２ｆは、販売者サーバ１の動作を規定する動作プログラムを格納している。
【００４７】
本実施例では、動作プログラムとしては、インターネット６を介してユーザ端末３から送信される注文情報を受け付ける注文情報受付け処理と、その注文情報を受け付けた祭に、インターネット６を介して決済情報をユーザ端末３に送信する情報送信処理とを販売者サーバ１（具体的には、制御部１３）に実行させるプログラムを用いる。
【００４８】
なお、動作プログラムとして、さらに、注文情報を受け付けた祭にインターネット６を介して注文情報と識別情報および鍵（共通鍵）情報をＱＲコード変換サーバ５に送信するＱＲコード変換催促処理と、ＱＲコード変換サーバ５が注文情報と識別情報および課金サーバ情報を含む決済情報を鍵（共通鍵）情報を用いて暗号化しさらにＱＲコード化した情報をインターネット６を介してＱＲコード変換サーバ５から受信するＱＲコード受信処理とを販売者サーバ１（具体的には、制御部１３）に実行させ、情報送信処理として、決済情報を鍵（共通鍵）情報を用いて暗号化したものをＱＲコード化した情報をインターネット６を介してユーザ端末３に送信させる処理を販売者サーバ１（具体的には、制御部１３）に実行させるプログラムを用いてもよい。
【００４９】
制御部１３は、動作プログラム格納部１２ｆに格納された動作プログラムに基づいて販売者サーバ１の動作を制御する。例えば、インターネット６を介してユーザ端末３から送信される注文情報を受け付ける注文情報受付け処理と、その注文情報を受け付けた祭に、インターネット６を介して決済情報（課金サーバ情報と識別情報および注文情報とを含む。）をユーザ端末３に送信する情報送信処理とを実行する。
【００５０】
また、制御部１３は、例えば、注文情報を受け付けた祭にインターネット６を介して注文情報と識別情報および鍵（共通鍵）情報をＱＲコード変換サーバ５に送信し、ＱＲコード変換サーバ５が注文情報と識別情報および課金サーバ情報を含む決済情報を鍵（共通鍵）情報を用いて暗号化したものをＱＲコード化した情報をインターネット６を介してＱＲコード変換サーバ５から受信し、決済情報を鍵（共通鍵）情報を用いて暗号化したものをＱＲコード化した情報をインターネット６を介してユーザ端末３に送信させる。
【００５１】
ＱＲコード変換サーバ５は、通信制御部５１と、携帯電話料金課金サーバ情報格納部５２と、暗号化部５３と、ＱＲコード化部５４とを含む。
【００５２】
通信制御部５１は、インターネット６と接続し、インターネット６を介して種々の情報のやりとりを行う。例えば、通信部５１は、販売者サーバ１からインターネット６を介して送信される注文情報と識別情報および鍵（共通鍵）情報とを受信する。
【００５３】
携帯電話料金課金サーバ情報格納部５２は、携帯電話料金課金サーバ４を特定する課金サーバ情報（具体的には、携帯電話料金課金サーバ４が提供する決済画面のＵＲＬ）を格納している。
【００５４】
暗号化部５３は、通信制御部５１が受信した注文情報および識別情報と携帯電話料金課金サーバ情報格納部５２に格納されている課金サーバ情報とを含む決済情報を、通信制御部５１が受信した鍵（共通鍵）情報に基づき暗号化する。
【００５５】
ＱＲコード化部５４は、暗号化部５３が暗号化した決済情報をＱＲコード化する。ＱＲコード化部５４によってＱＲコード化された決済情報は、通信制御部５１からインターネット６を介して販売者サーバ１に送信され、販売者サーバ１の決済情報格納部１２ｅに格納される。
【００５６】
ユーザ端末３は、通信部３１と、入力部３２と、表示部３３と、メモリ３４と、制御部３５とを含む。
【００５７】
通信部３１は、インターネット６と接続し、インターネット６を介して種々の情報のやりとりを行う。キーボード等の入力部３２は、ユーザからの種々の入力を受け付ける。表示部３３は、制御部３５の制御に基づいて種々の表示を行う。メモリ３４は、ユーザ端末３の動作を規定する動作プログラムを格納している動作プログラム格納部を含む。
【００５８】
制御部３５は、メモリ３４に格納されている動作プログラムに基づいてユーザ端末３の種々の動作を制御する。
【００５９】
例えば、制御部３５は、ユーザが入力部３２を操作することによって入力される販売者サーバ１への接続要求に基づいて通信部３１からインターネット６を介して販売者サーバ１にアクセスする。
【００６０】
また、制御部３５は、販売者サーバ１のショッピング画面格納部１２ａに格納されている画面情報をインターネット６を介して受信し、受信した画面情報に基づいて販売者サーバ１が提供する商品を示した商品画面を表示部３３に表示する。
【００６１】
また、制御部３５は、ユーザが入力部３２を操作することによって入力される商品の注文情報を通信部３１からインターネット６を介して販売者サーバ１に送信する。
【００６２】
また、制御部３５は、販売者サーバ１が提供する決済情報（本実施例では、暗号化された後にＱＲコード化された決済情報）をインターネット６を介して受信し、受信した決済情報を表示部３３に表示する。
【００６３】
なお、ユーザ端末３は、プリンタ３６と接続されていてもよい。
【００６４】
携帯電話端末２は、情報取込み部２１と、入力部２２と、表示部２３と、ＱＲコード復号化部２４と、復号化部２５と、メモリ２６と、制御部２７と、携帯電話通信部２８とを含む。
【００６５】
情報取込み部２１は、ユーザ端末３に送信された決済情報を取り込む。
【００６６】
例えば、情報取込み部２１としてデジタルカメラを用いる場合は、ユーザ端末３の表示部３３に表示されている決済情報を撮像することにより決済情報を取り込む。なお、デジタルカメラによってユーザ端末３に送信された決済情報を取り込む場合、例えば、ユーザ端末３に送信された決済情報をプリンタ３６によって紙などの記録媒体に記録し、記録媒体に記録された決済情報を撮像することにより取り込むようにしてもよい。
【００６７】
なお、情報取込み部２１は、デジタルカメラに限るものではなく適宜変更可能である。例えば、ＯＣＲ手段も用いてもよく、また、ユーザ端末３から有線通信または無線通信（例えば、電波通信または赤外線通信）で決済情報を取り込む通信手段を用いてもよい。
【００６８】
入力部２２は、キー入力部で、ユーザからの入力を受け付ける。表示部２３は、制御部２７の制御に基づいて種々の表示を行う。
【００６９】
ＱＲコード復号化部２４は、ＱＲコード化された決済情報に対してＱＲコード復号化を行う。なお、本実施例では、ＱＲコード復号化部２４は、暗号化された後にＱＲコード化された決済情報に対してＱＲコード復号化を行う。
【００７０】
復号化部２５は、ＱＲコード復号化部２４によってＱＲコード復号化された暗号化決済情報を、入力部２２から入力された鍵（共通鍵）情報に基づき復号化する。
【００７１】
なお、復号化部２５が行う復号化処理は、ＱＲコード変換サーバ５の暗号化部５２が行う暗号化処理に対応する。
【００７２】
以下に、この対応のとり方の一例を示す。携帯電話端末２の復号化部２５が行う復号化処理とＱＲコード変換サーバ５の暗号化部５２が行う暗号化処理とを携帯電話料金課金サーバ４が生成し、携帯電話端末２が携帯電話料金課金サーバ４から復号化処理を規定する復号化プログラムを取得し、ＱＲコード変換サーバ５が携帯電話料金課金サーバ４から暗号化処理を規定する復号化プログラムを取得する。なお、暗号化処理と復号化処理との対応のとり方は、上記に限るものではない。
【００７３】
メモリ２６は、携帯電話端末２の動作を規定する動作プログラムを格納している動作プログラム格納部を含む。
【００７４】
携帯電話端末２の動作を規定する動作プログラムとしては、例えば、携帯電話端末２が、決済情報に含まれる携帯電話料金課金サーバ４が提供する決済画面のＵＲＬ（課金サーバ情報）を取得した際に、決済情報に含まれる識別情報および注文情報を携帯電話料金課金サーバ４に送信させ、そのＵＲＬが示す決済画面を携帯電話端末２の表示部２３に表示させる処理を制御部２７に実行させるプログラムがある。
【００７５】
制御部２７は、メモリ２６に格納されている動作プログラムに基づいて携帯電話端末２の種々の動作を制御する。
【００７６】
例えば、制御部２７は、ユーザが入力部２２を操作して情報取込み部２１でユーザ端末３に送信された決済情報を取り込む指示を示す入力を行った際、情報取込み部２１でユーザ端末３に送信された決済情報を取り込ませる。
【００７７】
また、制御部２７は、取り込んだ決済情報に含まれる携帯電話料金課金サーバ４が提供する決済画面のＵＲＬ（課金サーバ情報）を取得した際に、決済情報に含まれる識別情報および注文情報を携帯電話料金課金サーバ４に送信し、そのＵＲＬが示す決済画面を携帯電話端末２の表示部２３に表示させる処理を実行する。
【００７８】
携帯電話通信部２８は、制御部２７の制御に基づいて無線基地局７との間で携帯電話無線通信を行う。
【００７９】
携帯電話料金課金サーバ４は、携帯電話端末２の使用料を携帯電話端末２のユーザに課金する。さらに、携帯電話料金課金サーバ４は、ユーザ端末３が販売者サーバ１に送信する注文情報が示す商品の決済を実行する。
【００８０】
携帯電話料金課金サーバ４は、通信制御部４１と、ユーザ認証情報格納部４２と、ユーザ認証部４３と、ユーザ課金部４４と、決済画面格納部４５とを含む。
【００８１】
通信制御部４１は、インターネット６および通信ネットワーク８と接続し、種々の情報のやりとりを制御する。
【００８２】
ユーザ認証情報格納部４２は、携帯電話端末２のユーザを識別するユーザ識別子と、ユーザ識別子にそれぞれ関連付けられているユーザＩＤおよびパスワードとを格納している。なお、ユーザ認証情報格納部４２に格納されているユーザＩＤおよびパスワードは、携帯電話料金決済を申し込んだ携帯電話端末２のユーザに提供されている。
【００８３】
ユーザ認証部４３は、ユーザ認証情報格納部４２に格納してあるユーザ識別子に関連づけられているユーザＩＤおよびパスワードと、携帯電話端末２から送信されてくるユーザＩＤおよびパスワードとに基づいて携帯電話端末２のユーザを認証する。
【００８４】
決済画面格納部４４は、注文情報が示す商品の代金を携帯電話端末２のユーザに課金しその代金を識別情報が示す販売者に提供する決済を実行するための決済画面を表示するための決済画面表示情報を格納する。
【００８５】
決済画面格納部４４に格納されている決済画面表示情報は、通信制御部４１から通信ネットワーク８および無線基地局７とを介して、決済画面のＵＲＬを指定した携帯電話端末２に送信される。
【００８６】
ユーザ課金部４５は、販売者サーバ１を管理する販売者を識別するための識別情報と注文情報とを携帯電話端末２から受けた場合に、注文情報が示す商品の代金を携帯電話端末２のユーザに課金しその代金を識別情報が示す販売者に提供する決済を実行する。
【００８７】
具体的には、ユーザ課金部４５は、販売者サーバ１を管理する販売者を識別するための識別情報と注文情報とを携帯電話端末２から受け、ユーザ認証部４３が携帯電話端末２のユーザを認証した際に、注文情報が示す商品の代金を携帯電話端末２のユーザに課金しその代金を識別情報が示す販売者に提供する決済を実行する。
【００８８】
図２は、図１に示した決済支援システムで使用される情報および決済支援システムの動作を説明するための説明図である。なお、図２において、図１に示したものと同一構成のものには同一符号を附してある。
【００８９】
図２において、販売者サーバ１が開設しているＷＥＢＳＨＯＰ（ウェブショップ）は、ショッピングモール運営業者が運営しているショッピングモール９に含まれる。なお、販売者サーバ１が開設しているＷＥＢＳＨＯＰ（ウェブショップ）は、ショッピングモール９に属していなくてもよい。
【００９０】
注文情報１０１は、ユーザ端末３のユーザが販売者サーバ１に対して行う商品の注文を示し、ユーザ端末３からインターネット６を介して販売者サーバ１に送信される。本実施例では、注文情報１０１は、注文する商品名とその商品の単価およびその数量とを含む。
【００９１】
配送先情報１０２は、商品の配送先を示し、注文情報１０１とともにユーザ端末３からインターネット６を介して販売者サーバ１に送信される。本実施例では、配送先情報１０２は、配送先の住所と配送先となる人の氏名およびその人の電話番号）を入力する。なお、注文商品がデジタルコンテンツの場合、配送先情報１０２は不要となる。
【００９２】
鍵（共通鍵）情報１０３は、販売者サーバ１がユーザ端末３に送信する決済情報を暗号化する際に用いられ、注文情報１０１および配送先情報１０２とともにユーザ端末３からインターネット６を介して販売者サーバ１に送信される。
【００９３】
識別情報１０４は、携帯電話料金課金サーバ４が販売者サーバ１を管理する販売者を識別するための情報であり、販売者サーバ１の識別情報格納部１２ｂに格納されている。
【００９４】
販売者サーバ１は、注文情報１０１と配送先情報１０２と鍵（共通鍵）情報１０３とをユーザ端末３から受信すると、注文情報１０１と鍵（共通鍵）情報１０３と識別情報１０４とをＱＲコード変換サーバ５に送信する。
【００９５】
決済情報１０５は、注文情報１０１と識別情報１０４および課金サーバ情報１０６とを含み、ＱＲコード変換サーバ５によって生成される。なお、課金サーバ情報１０６は、ＱＲコード変換サーバ５の携帯電話料金課金サーバ情報格納部５２に格納されている。また、ＱＲコード変換サーバ５は、鍵（共通鍵）情報１０３を用いて決済情報１０５を暗号化し、さらにその決済情報１０５をＱＲコード化し、暗号化およびＱＲコード化した決済情報１０５を販売者サーバ１に送信する。
【００９６】
販売者サーバ１に送信された暗号化およびＱＲコード化された決済情報１０５は、販売者サーバ１によって、注文情報１０１を送信したユーザ端末３に送信される。
【００９７】
ユーザ端末３は、暗号化およびＱＲコード化された決済情報１０５を表示部３３に表示する。
【００９８】
ユーザ端末３のユーザは、携帯電話端末２の情報取込み部２１を用いて、ユーザ端末３に送信された暗号化およびＱＲコード化された決済情報１０５を取り込む。
【００９９】
携帯電話端末２は、暗号化およびＱＲコード化された決済情報１０５をＱＲ復号化部２４でＱＲコードの復号化を行う。
【０１００】
鍵（共通鍵）情報１０７は、暗号化された決済情報１０５を復号化するための情報であり、携帯電話端末２の入力部２２からユーザによって入力される。なお、鍵（共通鍵）情報１０７は、鍵（共通鍵）情報１０３と同一である。
【０１０１】
携帯電話端末２の復号化部２５は、鍵（共通鍵）情報１０７を用いて暗号化された決済情報１０５を復号化する。
【０１０２】
決済情報１０５が復号化されて、決済情報１０５に含まれる携帯電話料金課金サーバ４が提供する決済画面のＵＲＬ（課金サーバ情報）を携帯電話端末２の制御部２７が取得すると、制御部２７は決済情報に含まれる識別情報および注文情報を携帯電話料金課金サーバ４に送信し、そのＵＲＬが示す決済画面を携帯電話端末２の表示部２３に表示させる。
【０１０３】
ユーザ（購入者用）ＩＤおよびパスワード１０８は、携帯電話料金課金サーバ４または携帯電話料金課金サーバ４の運営者から携帯電話端末２のユーザに予め提供された、携帯電話料金課金サーバ４が携帯電話端末２のユーザを認証するために使用される情報であり、携帯電話端末２の入力部２２からユーザによって入力される。
【０１０４】
携帯電話端末２の制御部２７は、入力されたユーザＩＤおよびパスワード１０８を携帯電話料金課金サーバ４に送信する。
【０１０５】
携帯電話料金課金サーバ４のユーザ認証部４３は、入力されたユーザＩＤおよびパスワード１０８とユーザ認証情報格納部４２に格納されている携帯電話端末２のユーザに対応するユーザＩＤおよびパスワードとを比較する。
【０１０６】
ユーザ課金部４５は、ユーザ認証部４３による比較が一致した際には、注文情報が示す商品の代金を携帯電話端末２のユーザに課金しその代金を識別情報が示す販売者に提供する決済を実行する。また、ユーザ課金部４５は、ユーザ認証部４３による比較が不一致の際には、注文情報１０１が示す商品の代金を携帯電話端末２のユーザに課金しその代金を識別情報１０４が示す販売者に提供する決済を実行しない。
【０１０７】
決済実行予定通知１０９は、携帯電話料金課金サーバ４が行う注文情報１０１に応じた決済の内容を示し、携帯電話料金課金サーバ４からインターネット６を介して販売者ユーザ１に送信される。本実施例では、決済実行予定通知１０９は、注文情報１０１と、識別情報１０４と、購入者情報１１０と、決済実行予定結果情報１１１とを含む。
【０１０８】
なお、購入者情報１１０は、携帯電話料金課金サーバ４のユーザ認証情報格納部４２に格納されている携帯電話端末２のユーザを識別するユーザ識別子に対応したものであり、決済実行予定結果情報１１１は、注文情報１０１に応じた決済を行うか否かを示す。
【０１０９】
販売者サーバ１は、決済実行予定通知１０９を携帯電話料金課金サーバ４から受け取った後に、ユーザ端末３にインターネット６を介して決済実行予定通知１０９の決済実行予定結果情報１１１に応じた購入確認通知を送信する。
【０１１０】
販売者サーバ１は、決済実行予定結果情報１１１が注文情報１０１に応じた決済を行うことを示している場合、注文情報１０１が物品の注文の際には注文のあった物品の配送を手配し、注文情報１０１がデジタルコンテンツの注文の際には購入確認通知にデジタルコンテンツのダウンロード用のＵＲＬと認証用のＩＤおよびパスワードとを記載し、これらの情報を記載した購入確認通知をユーザ端末３にインターネット６を介して送信する。
【０１１１】
図３は、図１に示した決済支援システムの動作を説明するためのシーケンス図である。
【０１１２】
以下、図３を参照して決済支援システムの動作を説明する。なお、図３は、ユーザ端末３のユーザが物品を注文した場合の動作を説明するためのシーケンス図である。
【０１１３】
ユーザ端末３の制御部３５は、ユーザが入力部３２を操作することによって入力される販売者サーバ１への接続要求に基づいて通信部３１からインターネット６を介して販売者サーバ１にアクセスする（ステップＳ１）。
【０１１４】
販売者サーバ１の制御部１３は、インターネット６を介して販売者サーバ１にアクセスしてきたユーザ端末３に対してショッピング画面格納部１２ａに格納されている画面情報をインターネット６を介して送信する（ステップＳ２）。
【０１１５】
ユーザ端末３の制御部３５は、販売者サーバ１から送信された画面情報が示す商品画面を表示部３３に表示させる（ステップＳ３）。
【０１１６】
ユーザ端末３のユーザは、入力部３２を操作することによって、注文する商品の選択、注文した商品の代金を携帯電話料金と一緒にユーザ端末３のユーザの指定口座から引き落とすこと（以下「携帯電話料金決済」と称する。）の選択、鍵（共通鍵）情報の入力および商品の配送先の入力を行う（ステップＳ４）。
【０１１７】
ユーザ端末３の制御部３５は、入力部３２から入力された内容に応じた情報、具体的には、選択された商品を注文する注文情報、携帯電話料金決済指定情報、鍵（共通鍵）情報および配送先情報とをインターネット６を介して販売者サーバ１に送信する（ステップＳ５）。
【０１１８】
販売者サーバ１の制御部１３は、注文情報と携帯電話料金決済指定情報と鍵（共通鍵）情報および配送先情報とを受信すると、注文情報と携帯電話料金決済指定情報および配送先情報とを注文情報格納部１２ｃに格納し、鍵（共通鍵）情報を暗号情報格納部１２ｄに格納する（ステップＳ６）。
【０１１９】
販売者サーバ１の制御部１３は、携帯電話料金決済指定情報を受信したので、識別情報格納部１２ｂに格納されている識別情報と、受信した注文情報と、受信した鍵（共通鍵）情報とをＱＲコード変換サーバ５にインターネット６を介して送信する（ステップＳ７）。
【０１２０】
ＱＲコード変換サーバ５が販売者サーバ１から識別情報と注文情報と鍵（共通鍵）情報とを受信すると、ＱＲコード変換サーバ５の暗号化部５３は、携帯電話料金課金サーバ情報格納部５２に格納されている課金サーバ情報（携帯電話料金課金サーバ４の決済画面のＵＲＬ）と受信した識別情報および受信した注文情報とを含む決済情報を、受信した鍵（共通鍵）情報を用いて暗号化する（ステップＳ８）。
【０１２１】
ＱＲコード変換サーバ５のＱＲコード化部５４は、暗号化された決済情報をＱＲコード化する（ステップＳ９）。
【０１２２】
ＱＲコード変換サーバ５の通信制御部５１は、暗号化およびＱＲコード化された決済情報をインターネット６を介して販売者サーバ１に送信する（ステップＳ１０）。
【０１２３】
販売者サーバ１の制御部１３は、ＱＲコード変換サーバ５から送信された情報、具体的には暗号化およびＱＲコード化された決済情報を決済情報格納部１２ｅに格納する（ステップＳ１１）。よって、決済情報格納部１２ｅには、課金サーバ情報が格納される。
【０１２４】
販売者サーバ１の制御部１３は、決済情報格納部１２ｅに格納された情報、具体的には暗号化およびＱＲコード化された決済情報をインターネット６を介して注文情報を送信したユーザ端末３に送信する（ステップＳ１２）。
【０１２５】
ユーザ端末３の制御部３５は、暗号化およびＱＲコード化された決済情報を受信し、この暗号化およびＱＲコード化された決済情報を表示部３３に表示させる（ステップＳ１３）。
【０１２６】
ユーザ端末３のユーザは、自身の携帯電話端末２が有する情報取込み部２１を用いて、ユーザ端末３に送信された暗号化およびＱＲコード化された決済情報１０５を取り込む（ステップＳ１４）。
【０１２７】
携帯電話端末２のユーザは、携帯電話端末２の入力部２２を操作してＱＲコードの復号化を指示するＱＲコード復号化指示を入力する。
【０１２８】
携帯電話端末２のＱＲ復号化部２４は、ＱＲコード復号化指示にしたがって暗号化およびＱＲコード化された決済情報に対してＱＲコード復号を実行する（ステップＳ１５）。
【０１２９】
携帯電話端末２のユーザは、携帯電話端末２の入力部２２を操作して、ステップＳ４で入力した鍵（共通鍵）情報と同一の鍵（共通鍵）情報を入力する。
【０１３０】
携帯電話端末２の復号化部２５は、暗号化された決済情報を入力部２２から入力された鍵（共通鍵）情報を用いて復号化する（ステップＳ１６）。
【０１３１】
決済情報が復号化されて、決済情報に含まれる携帯電話料金課金サーバ４が提供する決済画面のＵＲＬ（課金サーバ情報）を制御部２７が取得すると、制御部２７は決済情報に含まれる識別情報および注文情報を課金サーバ情報が示す携帯電話料金課金サーバ４に送信し（ステップＳ１７）、そのＵＲＬが示す決済画面を携帯電話料金課金サーバ４から取得し（ステップＳ１８）、取得した決済画面を表示部２３に表示させる（ステップＳ１９）。
【０１３２】
携帯電話端末２のユーザは、携帯電話端末２の入力部２２を操作して、既に携帯電話料金課金サーバ４から携帯電話端末２にユーザに提供されているユーザＩＤおよびパスワードを入力する（ステップＳ２０）。
【０１３３】
携帯電話端末２の制御部２７は、入力されたユーザＩＤおよびパスワードを携帯電話料金課金サーバ４に送信する（ステップＳ２１）。
【０１３４】
携帯電話料金課金サーバ４のユーザ認証部４３は、携帯電話端末２から送信されたユーザＩＤおよびパスワード１０８とユーザ認証情報格納部４２に格納されている携帯電話端末２のユーザの識別子に関連づけられているユーザＩＤおよびパスワードとを比較することによって、ユーザ認証を行う（ステップＳ２２）。
【０１３５】
ユーザ課金部４５は、ユーザ認証部４３による比較が一致した際には、注文情報が示す商品の代金を携帯電話端末２のユーザに課金しその代金を識別情報が示す販売者に提供する決済を実行する。また、ユーザ課金部４５は、ユーザ認証部４３による比較が不一致の際には、注文情報１０１が示す商品の代金を携帯電話端末２のユーザに課金しその代金を識別情報１０４が示す販売者に提供する決済を実行しない（ステップＳ２３）。
【０１３６】
通信制御部４１は、決済実行予定通知を販売者サーバ１にインターネット６を介して送信する（ステップＳ２４）。なお、決済実行予定通知としては、例えば、図２に示した決済実行予定通知１０９を用いる。
【０１３７】
販売者サーバ１の制御部１３は、決済実行予定通知を携帯電話料金課金サーバ４から受け取った後に、ユーザ端末３にインターネット６を介して決済実行予定通知の決済実行予定結果情報に応じた購入確認通知を送信する（ステップＳ２５）。
【０１３８】
販売者サーバ１の制御部１３は、決済実行予定結果情報１１１が注文情報１０１に応じた決済を行うことを示している場合、注文情報格納部１２ｃに格納している注文情報が示す商品を注文情報格納部１２ｃに格納している配送先情報が示す配送先に配送させる手配を行う（ステップＳ２６）。
【０１３９】
図４は、図１に示した決済支援システムの動作、具体的にはユーザ端末３のユーザがデジタルコンテンツを注文した場合の動作を説明するためのシーケンス図である。なお、図４において、図３に示した処理と同一の処理には同一符号を附してある。
【０１４０】
以下、図４を参照して決済支援システムの動作を説明する。なお、以下では、図４において、図３に示した処理と異なる処理、具体的にはＳ１０４、Ｓ１０５、Ｓ１０６およびＳ１２５とを中心に説明する。
【０１４１】
ユーザ端末３のユーザは、入力部３２を操作することによって、注文する商品の選択、携帯電話料金決済の選択および鍵（共通鍵）情報の入力を行う（ステップＳ１０４）。
【０１４２】
ユーザ端末３の制御部３５は、入力部３２から入力された内容に応じた情報、具体的には、選択された商品を注文する注文情報、携帯電話料金決済指定情報および鍵（共通鍵）情報をインターネット６を介して販売者サーバ１に送信する（ステップＳ１０５）。
【０１４３】
販売者サーバ１の制御部１３は、注文情報と携帯電話料金決済指定情報および鍵（共通鍵）情報とを受信すると、注文情報と携帯電話料金決済指定情報とを注文情報格納部１２ｃに格納し、鍵（共通鍵）情報を暗号情報格納部１２ｄに格納する（ステップＳ１０６）。
【０１４４】
また、ステップＳ２４にて、決済予定通知を受信した販売者サーバ１の制御部１３は、ユーザ端末３にインターネット６を介して決済実行予定通知の決済実行予定結果情報に応じた購入確認通知を送信する。
【０１４５】
なお、決済実行予定結果情報が注文情報に応じた決済を行うことを示している場合、注文情報がデジタルコンテンツの注文の際には購入確認通知にデジタルコンテンツのダウンロード用のＵＲＬと認証用のＩＤおよびパスワードとを記載し、これらの情報を記載した購入確認通知をユーザ端末３にインターネット６を介して送信する（ステップＳ１２５）。
【０１４６】
図５は、携帯電話料金課金サーバ４および携帯電話料金課金サーバ４の運営者が行う決済処理を説明するためのフローチャートである。
【０１４７】
携帯電話料金課金サーバ４または携帯電話料金課金サーバ４の運営者は、携帯電話端末のユーザからの申し込みに応じて携帯電話料金決済を契約する（ステップ５ａ）。
【０１４８】
携帯電話料金課金サーバ４または携帯電話料金課金サーバ４の運営者は、契約済みユーザにＩＤとパスワードとを提供する（ステップ５ｂ）。なお、契約済みユーザに提供されるＩＤとパスワードとは、携帯電話料金課金サーバ４のユーザ認証情報格納部４２にユーザを識別するユーザ識別子と関連づけて格納される。
【０１４９】
また、携帯電話料金課金サーバ４または携帯電話料金課金サーバ４の運営者は、販売者サーバ１を運営する販売者からの申し込みに応じて携帯電話料金決済を契約する（ステップ５ｃ）。
【０１５０】
携帯電話料金課金サーバ４または携帯電話料金課金サーバ４の運営者は、契約済み販売者に識別情報を提供する（ステップ５ｄ）。
【０１５１】
携帯電話料金課金サーバ４または携帯電話料金課金サーバ４の運営者は、携帯電話端末２のユーザに対して、携帯電話端末２の使用料と携帯電話料金決済を利用した商品の代金を携帯電話端末２のユーザから集金する（ステップ５ｅ）。
【０１５２】
携帯電話料金課金サーバ４または携帯電話料金課金サーバ４の運営者は、携帯電話料金決済を利用した商品の代金をその商品の販売者に配給する（ステップ５ｆ）。
【０１５３】
図６は、携帯電話端末２のユーザが行う決済処理を説明するためのフローチャートである。
【０１５４】
携帯電話端末２のユーザは、携帯電話料金課金サーバ４または携帯電話料金課金サーバ４の運営者に対して携帯電話料金決済の申し込みを行う（ステップ６ａ）。
【０１５５】
携帯電話端末２のユーザは、携帯電話料金課金サーバ４または携帯電話料金課金サーバ４の運営者からユーザ識別用のＩＤおよびパスワードを入手する（ステップ６ｂ）。
【０１５６】
携帯電話端末２のユーザは、携帯電話端末２の使用料と携帯電話料金決済を利用した商品の代金とを携帯電話料金課金サーバ４または携帯電話料金課金サーバ４の運営者に対して支払う（ステップ６ｃ）。
【０１５７】
図７は、販売者サーバ１を運営している販売者が行う決済処理を説明するためのフローチャートである。
【０１５８】
販売者サーバ１を運営している販売者は、携帯電話料金課金サーバ４または携帯電話料金課金サーバ４の運営者に対して携帯電話料金決済の申し込みを行う（ステップ７ａ）。
【０１５９】
販売者サーバ１を運営している販売者は、携帯電話料金課金サーバ４または携帯電話料金課金サーバ４の運営者から識別情報を入手する（ステップ７ｂ）。なお、販売者に提供された識別情報は、販売者サーバ１の識別情報格納部１２ｂに格納される。
【０１６０】
販売者サーバ１を運営している販売者は、携帯電話料金決済を利用した商品の代金を携帯電話料金課金サーバ４または携帯電話料金課金サーバ４の運営者から集金する（ステップ７ｃ）。
【０１６１】
本実施例によれば、販売者サーバ１が課金サーバ情報と識別情報および注文情報とを通信回線を介してユーザ端末３に送信し、携帯電話端末２がユーザ端末３に送信された課金サーバ情報と識別情報および注文情報とを取り込み、課金サーバ情報によって特定される携帯電話料金課金サーバ４に識別情報および注文情報とを送信するので、携帯電話料金課金サーバ４は注文情報が示す商品の代金を携帯電話端末２のユーザに課金しその代金を識別情報が示す販売者に提供する決済を実行することが可能となる。
【０１６２】
したがって、オンラインショッピングを行う際にクレジット番号を用いる必要がなくなり、また、オンラインショッピングの決済を携帯電話料金課金サーバ４にて行うことが可能となる。
【０１６３】
また、ユーザ端末３と販売者サーバ１との間で情報のやり取りを行う際にユーザ端末３を操作しているユーザを識別するための情報をやりとりすることが不要になるので、商品を注文する際に商品を注文するユーザの識別情報を販売者サーバ１に通知する場合に比べて、商品を注文するユーザの匿名性が高くなり、商品を注文するユーザのプライバシーを保護する効果が向上する。
【０１６４】
また、本実施例の販売者サーバ１によれば、注文情報を受け付けた祭に、通信回線を介して決済情報をユーザ端末３に送信するので、携帯電話端末２で決済情報を取り込み、取り込んだ決済情報に含まれる課金サーバ情報によって特定される携帯電話料金課金サーバ４に識別情報および注文情報とを送信することが可能となり、携帯電話料金課金サーバ４は注文情報が示す商品の代金を携帯電話端末２のユーザに課金しその代金を識別情報が示す販売者に提供する決済を実行することが可能となる。
【０１６５】
以上説明した実施例において、図示した構成は単なる一例であって、本発明はその構成に限定されるものではない。
【０１６６】
例えば、暗号化処理が必要ない場合には、ＱＲコード変換サーバ５が備える暗号化部５３と携帯電話端末２が備える復号化部２５とを不要にできる。
【０１６７】
また、ＱＲコード変換処理が必要ない場合には、ＱＲコード変換サーバ５が備えるＱＲコード化部５４と携帯電話端末２が備えるＱＲコード復号化部２４とを不要にできる。
【０１６８】
また、ＱＲコード変換サーバ５に、携帯電話端末ごとに各携帯電話端末の課金を管理する携帯電話料金課金サーバを認識させ、ユーザ端末３から送信される携帯電話料金決済選択情報として、携帯電話端末ごとに各携帯電話端末の課金を管理する携帯電話料金課金サーバの中から携帯電話端末２の課金を管理する携帯電話料金課金サーバを示す情報を用い、この情報を販売者サーバ１が受信した際、この情報を注文情報などとともにＱＲコード変換サーバ５に送信し、ＱＲコード変換サーバ５でその情報が示す携帯電話料金課金サーバを特定する課金サーバ情報を選択し、ＱＲコード変換サーバ５がこの選択した情報を決済情報に含ませるようにしてもよい。
【０１６９】
また、販売者サーバ１がＱＲコード変換サーバ５を内蔵するようにしてもよい。
【０１７０】
また、決済情報が課金サーバ情報を含まないようにしてもよい。この場合、例えば、携帯電話端末２のユーザが携帯電話料金課金サーバ４のＵＲＬを予め入手しておき、携帯電話端末で取得した決済情報を、予め入手しておいた携帯電話料金課金サーバ４のＵＲＬが示すサイトに送信するようにすればよい。
【図面の簡単な説明】
【０１７１】
【図１】本発明の一実施例の決済支援システムを示したブロック図である。
【図２】図１に示した決済支援システムの動作の概要を説明するための説明図である。
【図３】図１に示した決済支援システムの動作の説明するためのシーケンス図である。
【図４】図１に示した決済支援システムの動作の説明するためのシーケンス図である。
【図５】図１に示した携帯電話料金課金サーバ４の決済処理を説明するためのフローチャートである。
【図６】図１に示した携帯電話端末２のユーザの決済処理を説明するためのフローチャートである。
【図７】図１に示した販売者サーバ１を運営する販売者４の決済処理を説明するためのフローチャートである。
【符号の説明】
【０１７２】
１      販売者サーバ
１１    通信部
１２    メモリ
１２ａ  ショッピング画面格納部
１２ｂ  識別情報格納部
１２ｃ  注文情報格納部
１２ｄ  暗号情報格納部
１２ｅ  決済情報格納部
１２ｆ  動作プログラム格納部
２      携帯電話端末
２１    情報取込み部
２２    入力部
２３    表示部
２４    ＱＲコード復号化部
２５    復号化部
２６    メモリ
２７    制御部
２８    携帯電話通信部
３      ユーザ端末
３１    通信部
３２    入力部
３３    表示部
３４    メモリ
３５    制御部
３６    プリンタ
４      携帯電話料金課金サーバ
４２    ユーザ認証情報格納部
４３    ユーザ認証部
４４    ユーザ課金部
４５    決済画面格納部
５      ＱＲコード変換サーバ
５１    通信制御部
５２    携帯電話料金課金サーバ情報格納部
５３    暗号化部
５４    ＱＲコード化部
６      インターネット
７      無線基地局
８      通信ネットワーク
９      ショッピングモール
１０１      注文情報
１０２      配達先情報
１０３      鍵情報
１０４      識別情報
１０５      決済情報
１０６      課金サーバ情報
１０７      鍵情報
１０８      ＩＤおよびパスワード
１０９      決済実行通知
１１０      購入者情報
１１１      決済実行予定結果情報
【図１】
2005107849.tif 000003
【図２】
2005107849.tif 000004
【図３】
2005107849.tif 000005
【図４】
2005107849.tif 000006
【図５】
2005107849.tif 000007
【図６】
2005107849.tif 000008
【図７】
2005107849.tif 000009